(57)【特許請求の範囲】
【請求項１】
支柱にメッシュフェンスを取付けるための取付構造であって、
前記メッシュフェンスの横筋あるいは縦筋に係止させつつ前記支柱に貫通形成される挿通孔に挿通して配設される係止部と、
前記挿通孔に挿通された前記係止部の先端側に係合する嵌合部とを備えており、
前記係止部は前記嵌合部が係合する溝部を備え、
前記嵌合部は前記係止部を挿通して前記溝部に係合する係合孔部を備えるとともに、前記溝部に前記係合孔部を係合させた状態で前記支柱に係止される支柱係止部を備え、
前記支柱と前記嵌合部の間に挿入して前記嵌合部を押圧するように配設される保持部を備えており、
前記保持部は、前記支柱と前記嵌合部の間に対して上方から挿入可能に構成され、上部に配設された押圧部と、該押圧部に上端を繋げ、下方に延出する板バネ部と、を備えていることを特徴とするフェンスの取付構造。
【請求項２】
請求項１記載のフェンスの取付構造において、
前記係止部は、前記溝部が形成された部分の先端側に厚さが大きい厚肉部、前記溝部が形成された部分の後端側に前記厚肉部よりも厚さが小さい薄肉部を備えて形成され、
前記嵌合部は、前記係止部を挿通する係合孔部を備えるとともに、前記係止部の前記薄肉部よりも前記係合孔部の幅寸法を大きくし、前記厚肉部よりも前記係合孔部の幅寸法を小さくする引き抜け防止部を備えて形成されていることを特徴とするフェンスの取付構造。
【発明の詳細な説明】
【技術分野】
【０００１】
本発明は、フェンスの取付構造に関し、特に、支柱とフェンス本体を接続して固定するための構造に関する。
【背景技術】
【０００２】
従来、敷地の外周などにフェンスを設置し、敷地境界の明確化、敷地内の視認制限などを図るようにしている。
【０００３】
この種のフェンスには、所定の間隔をあけて立設された複数の支柱１と、複数の支柱１に支持させてフェンス面を形成するように並設される複数のフェンス本体２とを備えて構成したものがある。また、フェンス本体２として縦筋（縦線材）２ａと横筋（横線材）２ｂを格子状に組み付けてなるメッシュフェンスが多用されている（図２３参照）。
【０００４】
ここで、例えば、メッシュフェンス２をフェンス本体として用いる場合には、図２３及び図２４に示すように、棒状の軸部３ａの先端にフック部３ｂを備えたフックボルト３を固定手段４として用い、メッシュフェンス２を支柱１に接続して固定する。すなわち、フック部３ｂを横筋２ｂに引っ掛けて係合させつつ軸部３ａを支柱１に貫通形成されたボルト挿通孔１ａに挿通してフックボルト３を取り付け、支柱１の側面から突出した軸部３ａの先端側にナット５を締結することにより、メッシュフェンス２を支柱１に固定するようにしている。
【先行技術文献】
【特許文献】
【０００５】
【特許文献１】特開２００９−４６８７４号公報
【発明の概要】
【発明が解決しようとする課題】
【０００６】
しかしながら、上記従来のフェンスの取付構造の固定手段は、フックボルト、ナットを用いるため、取付作業に専用工具が必要であり、フェンスが大きくなるほど、若しくは設置個数が増えるほど、その取付作業に多大な手間と労力、ひいては多大なコストを要することになる。
【０００７】
また、専用工具を使うため、その取付作業を職人が行っており、将来的な職人不足に対応するため、熟練作業員でなくても容易に且つ好適にフェンスの取付作業を行えるようにすることが強く望まれている。
【０００８】
さらに、フックボルトを支柱に先付けしてからフェンス本体を取り付けようとすると、支柱の挿通孔に挿通したフックボルトが回転し、フック部が下を向いてしまう場合があり、この場合にはフェンス本体を引っ掛けることができず、この点からも取付作業に多大な手間と労力を要することになる。
【０００９】
本発明は、上記事情に鑑み、専用工具を用いずに、メッシュフェンスと支柱を容易に接続することを可能にするフェンスの取付構造を提供することを目的とする。
【課題を解決するための手段】
【００１０】
上記の目的を達するために、この発明は以下の手段を提供している。
【００１１】
本発明のフェンスの取付構造は、支柱にメッシュフェンスを取付けるための取付構造であって、前記メッシュフェンスの横筋あるいは縦筋に係止させつつ前記支柱に貫通形成される挿通孔に挿通して配設される係止部と、前記挿通孔に挿通された前記係止部の先端側に係合する嵌合部とを備えており、前記係止部は前記嵌合部が係合する溝部を備え、前記嵌合部は前記係止部を挿通して前記溝部に係合する係合孔部を備えるとともに、前記溝部に前記係合孔部を係合させた状態で前記支柱に係止される支柱係止部を備え、前記支柱と前記嵌合部の間に挿入して前記嵌合部を押圧するように配設される保持部を備えており、前記保持部は、前記支柱と前記嵌合部の間に対して上方から挿入可能に構成され、上部に配設された押圧部と、該押圧部に上端を繋げ、下方に延出する板バネ部と、を備えていることを特徴とする。
【００１２】
また、本発明のフェンスの取付構造においては、前記係止部は、前記溝部が形成された部分の先端側に厚さが大きい厚肉部、前記溝部が形成された部分の後端側に前記厚肉部よりも厚さが小さい薄肉部を備えて形成され、前記嵌合部は、前記係止部を挿通する係合孔部を備えるとともに、前記係止部の前記薄肉部よりも前記係合孔部の幅寸法を大きくし、前記厚肉部よりも前記係合孔部の幅寸法を小さくする引き抜け防止部を備えて形成されていてもよい。
【発明の効果】
【００１３】
本発明のフェンスの取付構造においては、専用工具を用いずに、メッシュフェンスと支柱を容易に接続して固定することが可能になる。
【図面の簡単な説明】
【００１４】
【図１】本発明の一実施形態に係るフェンスの取付構造を示す側断面視図である。
【図２】図１のＸ１−Ｘ１線矢視図である。
【図３】図１のＸ２−Ｘ２線矢視図である。
【図４】本発明の一実施形態に係るフェンスの取付構造の係止部材を示す側面図である。
【図５】図４のＸ１−Ｘ１線矢視図である。
【図６】本発明の一実施形態に係るフェンスの取付構造の嵌合部材を示す正面図である。
【図７】図６のＸ１−Ｘ１線矢視図である。
【図８】図６のＸ２−Ｘ２線矢視図である。
【図９】本発明の一実施形態に係るフェンスの取付構造の保持部材を示す正面図である。
【図１０】図９のＸ１−Ｘ１線矢視図である。
【図１１】図９のＸ２−Ｘ２線矢視図である。
【図１２】本発明の一実施形態に係るフェンスの取付構造の変更例を示す側断面視図である。
【図１３】図１２のＸ１−Ｘ１線矢視図である。
【図１４】図１２のＸ２−Ｘ２線矢視図である。
【図１５】本発明の一実施形態に係るフェンスの取付構造の変更例を示す側断面視図であり、嵌合部材を係止部材の軸部に取り付けた状態を示す図である。
【図１６】図１５のＸ１−Ｘ１線矢視図である。
【図１７】本発明の一実施形態に係るフェンスの取付構造の変更例を示す側断面視図であり、保持部材を支柱と嵌合部材の間に押し込んだ状態を示す図である。
【図１８】図１７のＸ１−Ｘ１線矢視図である。
【図１９】図１５のフェンス取付構造の嵌合部材を示す正面図である。
【図２０】図１９のＸ１−Ｘ１線矢視図である。
【図２１】図１５のフェンス取付構造の保持部材を示す正面図である。
【図２２】図２１のＸ１−Ｘ１線矢視図である。
【図２３】従来のフェンスの取付構造を示す斜視図である。
【図２４】従来のフックボルトとナットの固定手段を用いてメッシュフェンスを支柱に接続する状況を示す側断面図である。
【発明を実施するための形態】
【００１５】
以下、図１から図２３を参照し、本発明の一実施形態に係るフェンスの取付構造について説明する。
【００１６】
はじめに、本実施形態のフェンスは、例えば、敷地の外周などに設置し、敷地境界の明確化、敷地内の視認制限などを図るためのものであり、所定の間隔をあけて立設された複数の支柱１と、複数の支柱１に支持させてフェンス面を形成するように並設される複数のフェンス本体２とを備えて構成されている（図２３参照）。
【００１７】
また、本実施形態では、図２３に示すように、フェンス本体として縦筋２ａと横筋２ｂを格子状に組み付けてなるメッシュフェンス２が用いられている。さらに、このメッシュフェンス２は、縦筋２ａを円弧状に形成するなどして、その上部側が胴縁状に形成されている。
【００１８】
次に、本実施形態のフェンスの取付構造Ａは、図１から図３に示すように、支柱１にメッシュフェンス２を固定するための構造であり、所定の間隔をあけて立設される複数の支柱１と、各支柱１の一側面から反対側の他側面に貫通する挿通孔１ａと、メッシュフェンス２の横筋２ｂ（あるいは縦筋２ａ）に係止させつつ挿通孔１ａに挿通し、支柱１の他側面から先端側を突出して配設される係止部材（係止部）１０と、係止部材１０の支柱１の他側面から突出した先端側に取り付けられて係止部材１０が挿通孔１ａから引き抜けることを防止するための嵌合部材（嵌合部）１１と、嵌合部材１１を保持するための保持部材（保持部）１２とを備えて構成されている。
【００１９】
本実施形態の係止部材１０は、図４、図５（図１から図３）に示すように、円弧状に形成され、後端側に設けられたフック部（係止部）１０ａと、フック部１０ａから直線状に延設された軸部１０ｂとを備えて形成されている。
【００２０】
軸部１０ｂは、例えば円柱棒状に形成され、その先端側に、軸部１０ｂの軸線中心の径方向両側に対称配置され、外面から径方向内側に凹み、軸部１０ｂを水平方向に配した状態で上下方向に延びて略半円状を呈するように形成された一対の溝部１０ｃを備えて形成されている。
【００２１】
さらに、本実施形態の軸部１０ｂの一対の溝部１０ｃは、これら一対の溝部１０ｃが形成された部分の厚さが先端側よりも後端側を小にして形成されている。言い換えれば、軸部１０ｂの溝部１０ｃは、その深さが先端側よりも後端側を大にして形成され、これにより、一対の溝部１０ｃが形成された部分には、先端側にその溝の深さが浅く、軸部１０ｂの厚さ（太さ）が大きい厚肉部１３が設けられ、厚肉部１３よりも後端側に溝の深さが深く、軸部の厚さ（太さ）が小さい薄肉部１４が設けられている。
【００２２】
嵌合部材１１は、図６、図７、図８（図１から図３）に示すように、略板状に形成されて横方向に突出する押圧部１１ａと、押圧部１１ａに上端を繋げ、下方に延出する略板状の本体部１１ｂと、本体部１１ｂの両側部に繋がり、本体部１１ｂに直交し、押圧部１１ａの突出方向と逆方向に突出する略板状の支柱係止部１１ｃとを備えている。
【００２３】
押圧部１１ａには、幅方向略中央に突出方向先端から基端に向けて凹む指掛け孔１１ｄが設けられている。
【００２４】
本体部１１ｂは、幅方向中央に、一面から他面に貫通し、下端側から上端側に延びる係合孔部１１ｅを備えて形成されている。
【００２５】
また、係合孔部１１ｅの上端部側の幅が係止部材１０の軸部１０ｂの外径よりも小さく、一対の溝部１０ｃが形成された部分の厚肉部１３の厚さと同等あるいは僅かに大きな寸法で形成され、この部分が保持部１１ｆとされている。
【００２６】
さらに、係合孔部１１ｅの保持部１１ｆよりも下方の部分に、係合孔部１１ｅの保持部１１ｆ及び下端側よりも幅寸法を小にした引き抜け防止部（絞り部）１１ｇが設けられている。また、この引き抜け防止部１１ｇが設けられた部分の係合孔部１１ｅの幅は、軸部１０ｂの薄肉部１４の厚さよりも大きく、厚肉部１３の厚さよりも小さな寸法とされている。
【００２７】
また、本体部１１ｂには、一面から他面に貫通し、後述の保持部材１２の板バネ部１２ｂの凸部１５が係合する凹部１６が形成されている。
【００２８】
保持部材１２は、図９、図１０、図１１（図１から図３）に示すように、横方向に突出する押圧部１２ａと、押圧部１２ａに上端を繋げ、下方に延出する板バネ部（付勢押圧部）１２ｂとを備えて、側面視逆Ｌ字状の略板状に形成されている。また、板バネ部１２ｂは、押圧部１２ａに繋がる上端と下端の間の中間部が押圧部１２ａの延出方向と同方向の横方向に屈曲して膨出に、側面視弓状に形成されている。
【００２９】
さらに、板バネ部１２ｂは、幅方向中央に下端から上端側に凹む係合凹部（係合孔部）１２ｃを備え、この係合凹部１２ｃを挟んで幅方向両側に上端側から下端に延びる一対の板バネ片１２ｄを備えて正面視略Ｕ字状に形成されている。
【００３０】
また、保持部材１２には、板バネ部１２ｂに嵌合部材１１の本体部１１ｂの凹部１６に係合する凸部１５が設けられている。
【００３１】
そして、本実施形態のフェンスの取付構造Ａを用いてメッシュフェンス２を取り付ける際には、図１から図３に示すように、まず、軸部１０ｂを支柱１の一側面側から挿通孔１ａに挿通させて係止部材１０を配設する。
【００３２】
次に、支柱１の他側面に突出した係止部材１０の軸部１０ｂの先端側を係合孔部１１ｅに挿通しつつ、軸部１０ｂの一対の溝部１０ｃの薄肉部１４に保持部１１ｆを係合させて嵌合部材１１を配設する。このとき、嵌合部材１１に一対の支柱係止部１１ｃが設けられているため、これら一対の支柱係止部１１ｃの間に支柱１を嵌合させるようにして嵌合部材１１が配設される。これにより、各支柱係止部１１ｃが支柱１の側面に係合することになり、嵌合部材１１、さらにこの嵌合部材１１が溝部１０ｃに係合した係止部材１０が回転することがない。
【００３３】
そして、係止部材１０のフック部１０ａが所定の方向で保持された状態で、フック部１０ａにメッシュフェンス２の横筋２ｂ（あるいは縦筋２ａ）を引っ掛け、メッシュフェンスを配設する。
【００３４】
次に、支柱１の他側面と嵌合部材１１の間に、保持部材１２を設置する。このとき、係止部材１０の軸部１０ｂの先端側の一対の溝部１０ｃの薄肉部１４に一対の板バネ片１２ｄを係合させて保持部材１２を配設する。また、指などで押圧部１２ａを上方から下方に押圧し、軸部１０ｂの一対の溝部１０ｃに一対の板バネ片１２ｄを押し込んでゆき、軸部１０ｂを係合凹部１２ｃに挿通させる。
【００３５】
このように保持部材１２を設置すると、先行して取り付けられた嵌合部材１１が保持部材１２の板バネ部１２ｂに押圧されて係止部材１０の軸部１０ｂの厚肉部１３にスライド移動し、さらに嵌合部材１１によって係止部材１０が軸部１０ｂを支柱１の挿通孔１ａにさらに挿通させるように引っ張られる。これにより、保持部材の板バネ部に付勢されて嵌合部材が軸部を引っ張った状態で保持され、係止部材のフック部で係止されたメッシュフェンスもさらに支柱に近づいてしっかりと固定して保持される。
【００３６】
ここで、上記のように、保持部材１２を設置し、係止部材１０の一対の溝部１０ｃが形成された部分の薄肉部１４に係合していた嵌合部材１１が保持部材１２に押圧されて厚肉部１３にスライド移動する。また、嵌合部材１１には引き抜け防止部１１ｇが設けられ、この引き抜け防止部１１ｇが設けられた部分の係合孔部１１ｅがその幅を軸部１０ｂの薄肉部１４の厚さよりも大きく、厚肉部１３の厚さよりも小さな寸法にして形成されている。このため、保持部材１２を設置するとともに、厚肉部１３にスライド移動した嵌合部材１１が、引き抜け防止部１１ｇによって引き抜け不能な状態で自動的に保持されることになる。
【００３７】
したがって、本実施形態のフェンスの取付構造Ａにおいては、軸部１０ｂを支柱１の挿通孔１ａに挿通して係止部材１０を配設し、この係止部材１０の軸部１０ｂに設けられた一対の溝部１０ｃに嵌合部材１１を係合させることにより、嵌合部材１１の支柱係止部１１ｃが支柱１に係止され、嵌合部材１１ひいては係止部材１０が回転しないように保持することができる。
【００３８】
これにより、メッシュフェンス２にフック部１０ａを容易に引っ掛けて設置することができる。すなわち、フックボルトの係止部材１０を支柱１に先付けしてからメッシュフェンス２を組み付けることができる。また、このとき、従来、支柱１に付いていたメッシュフェンス仮設置用の「仮止めフック」を不要にして取付作業を行うことが可能になる。
【００３９】
また、支柱１の他側面と嵌合部材１１の間に保持部材１２を指などで押し込んで取り付けることによって、メッシュフェンス２を支柱１に固定することができる。
【００４０】
よって、本実施形態のフェンスの取付構造Ａによれば、メッシュフェンス２に係止させて支柱１の挿通孔１ａに挿通配置した係止部材１０に係合させて嵌合部材１１と保持部材１２を押し込むという簡易な操作によって、メッシュフェンス２と支柱１を容易に接続することが可能になる。すなわち、従来のように専用工具を用いずに、メッシュフェンス２と支柱１を容易に接続することが可能になる。
【００４１】
これにより、従来のフェンスの取付構造と比較し、取付作業の手間と労力を大幅に軽減してメッシュフェンス２を支柱１に接続固定することができ、ひいては大幅に施工コストを削減することが可能になる。
【００４２】
また、本実施形態のフェンスの取付構造Ａにおいては、係止部材１０の軸部１０ｂの一対の溝部１０ｃが形成された部分に厚肉部１３と薄肉部１４が設けられ、且つ、嵌合部材１１の係合凹部１１ｅの保持部１１ｆよりも下方の部分に、係合凹部１１ｅの保持部１１ｆ及び下端側よりも幅寸法を小にした引き抜け防止部（絞り部）１１ｇを設けて嵌合部材１１が形成されている。
【００４３】
このため、保持部材１２を設置すると、係止部材１０の一対の溝部１０ｃが形成された部分の薄肉部１４に係合していた嵌合部材１１が保持部材１２に押圧されて厚肉部１３にスライド移動し、この嵌合部材１１を引き抜け防止部１１ｇによって引き抜け不能な状態で自動的に保持することが可能になる。
【００４４】
これにより、作業者が保持部材１２の押圧部１２ａを上方に押し上げて取り外す操作をしなければ、嵌合部材１１が係止部材１０から外れることがなく、係止部材１０ひいてはメッシュフェンス２が支柱１に固着した状態を確実に維持することが可能になる。
【００４５】
さらに、嵌合部材１１を係止部材１０の先端側の溝部１０ｃに係合させ、軸部１０ｂを保持部１１ｆに配し、保持部材１２を嵌合させるとともに保持部材１２の凸部１５が嵌合部材１１の凹部１６に係合することによって、保持部材１２の引き抜けを防止することができ、結果として嵌合部材１１の引き抜けをさらに確実に防止することができる。
【００４６】
以上、本発明に係るフェンスの取付構造の一実施形態について説明したが、本発明は上記の一実施形態に限定されるものではなく、その趣旨を逸脱しない範囲で適宜変更可能である。
【００４７】
例えば、本実施形態では、嵌合部材１１と保持部材１２とによって係止部材１０を固定保持するものとしたが、嵌合部材１１のみで係止部材１０を保持するようにしてもよい。すなわち、図１２から図１４に示すように、嵌合部材１１の係合孔部１１ｅに係止部材１０の先端側を挿通するとともに溝部１０ｃに係合させることによって、係止部材１０を着脱可能に保持するようにしてもよい。この場合においても、本実施形態の作用効果を得ることができる。
【００４８】
例えば、本実施形態では、嵌合部材１１と保持部材１２が個別の部材であるものとしたが、図１５から図２２に示すように、嵌合部材１１と保持部材１２をスライド自在に一体に接続する係止片１２ｅを設けるようにし、嵌合部材１１を係止部材１０の軸部１０ｂの溝部１０ｃに嵌合させた後、嵌合部材１１にスライド自在に接続された保持部材１２をスライドさせて嵌合部材１１と支柱１の間に嵌め込んで係止部材１０を保持するように構成してもよい。
【００４９】
この場合には、本実施形態のように嵌合部材１１と保持部材１２の２つの部材をそれぞれ個別に嵌め込むのに対し、嵌合部材１１を嵌め込み、保持部材１２をスライドさせるだけで係止部材１０を保持することができ、また、保持部材１２をスライドさせて外し、嵌合部材１１を引き抜くだけで係止部材１０の係止状態を解除することができ、操作性、作業性をより高めることが可能になる。
【００５０】
また、嵌合部材１１が、幅方向中央に一面から他面に貫通し下端側から上端側に延びる係合孔部１１ｅを備え、この係合孔部１１ｅに係止部材１０の軸部１０ｂを挿通して嵌合部材１１を取り付けるように説明した。これに対し、保持部材１２と同様に、嵌合部材１１を、幅方向中央に下端から上端側に凹む係合凹部（係合孔部）を備え、この係合凹部を挟んで幅方向両側に上端側から下端に延びる一対の保持片を備えて略Ｕ字状に形成してもよい。
【符号の説明】
【００５１】
１      支柱
１ａ    挿通孔
２      メッシュフェンス（フェンス本体）
２ａ    縦筋
２ｂ    横筋
３      フックボルト
３ａ    軸部
３ｂ    フック部
４      固定手段
５      ナット
１０    係止部材
１０ａ  フック部（係止部）
１０ｂ  軸部
１０ｃ  溝部
１１    嵌合部材
１１ａ  押圧部
１１ｂ  本体部
１１ｃ  支柱係止部
１１ｄ  指掛け孔
１１ｅ  係合孔部
１１ｆ  保持部
１１ｇ  引き抜け防止部（絞り部）
１２    保持部材
１２ａ  押圧部
１２ｂ  板バネ部
１２ｃ  係合凹部（係合孔部）
１２ｄ  板バネ片
１２ｅ  係止片
１３    厚肉部
１４    薄肉部
１５    凸部
１６    凹部
Ａ      フェンスの取付構造
Ｏ１    支柱の軸線
【図１】
0006713769.tif 000002
【図２】
0006713769.tif 000003
【図３】
0006713769.tif 000004
【図４】
0006713769.tif 000005
【図５】
0006713769.tif 000006
【図６】
0006713769.tif 000007
【図７】
0006713769.tif 000008
【図８】
0006713769.tif 000009
【図９】
0006713769.tif 000010
【図１０】
0006713769.tif 000011
【図１１】
0006713769.tif 000012
【図１２】
0006713769.tif 000013
【図１３】
0006713769.tif 000014
【図１４】
0006713769.tif 000015
【図１５】
0006713769.tif 000016
【図１６】
0006713769.tif 000017
【図１７】
0006713769.tif 000018
【図１８】
0006713769.tif 000019
【図１９】
0006713769.tif 000020
【図２０】
0006713769.tif 000021
【図２１】
0006713769.tif 000022
【図２２】
0006713769.tif 000023
【図２３】
0006713769.tif 000024
【図２４】
0006713769.tif 000025